(57)【要約】【課題】インクリボンや被印字媒体のロールの偽造品の使用を抑制することが可能なプリンタおよびロールを得る。【解決手段】本発明の一実施形態にかかるプリンタにあっては、帯状体が巻回されて構成されて軸方向端部に不可視性の識別子が付与されたロールを保持するロール保持部と、前記ロール保持部に保持された前記ロールに向けて光を照射する照射部と、前記照射部の光の照射により前記ロールの前記識別子を含む領域から到来した光を受光する受光部と、前記受光部での受光結果から前記識別子を識別する識別部と、前記識別部での識別結果に応じて所定の設定または動作を変更するかあるいは所定の設定または動作を実行する制御部と、前記帯状体の少なくとも一つに含まれた被印字媒体に印字する印字部と、を備えた。【選択図】図５
2012020490.tif 000002
【特許請求の範囲】
【請求項１】
帯状体が巻回されて構成されて軸方向端部に不可視性の識別子が付与されたロールを保持するロール保持部と、
前記ロール保持部に保持された前記ロールに向けて光を照射する照射部と、
前記照射部の光の照射により前記ロールの前記識別子を含む領域から到来した光を受光する受光部と、
前記受光部での受光結果から前記識別子を識別する識別部と、
前記識別部での識別結果に応じて所定の設定または動作を変更するかあるいは所定の設定または動作を実行する制御部と、
前記帯状体の少なくとも一つに含まれた被印字媒体に印字する印字部と、
を備えたことを特徴とするプリンタ。
【請求項２】
前記識別子が前記ロールの軸端に付与されたことを特徴とする請求項１に記載のプリンタ。
【請求項３】
前記識別子が前記ロールの巻回部分の軸方向端面に付与されたことを特徴とする請求項１または２に記載のプリンタ。
【請求項４】
前記識別部による識別結果を不揮発性の記憶部に記憶させる書込処理部を備えたことを特徴とする請求項１〜３のうちいずれか一つに記載のプリンタ。
【請求項５】
前記識別子に対応する情報を不揮発性の記憶部から読み出す読出処理部を備え、
前記制御部が、前記読出処理部によって読み出された前記識別子に対応する情報に基づいて所定の動作を変更するかあるいは実行することを特徴とする請求項１〜４のうちいずれか一つに記載のプリンタ。
【請求項６】
請求項１〜５のうちいずれか一つに記載のプリンタで用いられ、前記帯状体が巻回されて構成されて前記不可視性の識別子が付与されたことを特徴とする前記ロール。
【発明の詳細な説明】
【技術分野】
【０００１】
本発明の実施形態は、プリンタおよびロールに関する。
【背景技術】
【０００２】
従来、インクリボンや被印字媒体のロールを保持して被印字媒体に印字を実行するプリンタが知られている（例えば特許文献１）。
【発明の概要】
【発明が解決しようとする課題】
【０００３】
この種のプリンタでは、インクリボンや被印字媒体のロールの偽造品が用いられた場合には、印字品質が低下したり、プリンタの動作不良が生じたりする虞があった。
【課題を解決するための手段】
【０００４】
本発明の実施形態にかかるプリンタにあっては、帯状体が巻回されて構成されて軸方向端部に不可視性の識別子が付与されたロールを保持するロール保持部と、前記ロール保持部に保持された前記ロールに向けて光を照射する照射部と、前記照射部の光の照射により前記ロールの前記識別子を含む領域から到来した光を受光する受光部と、前記受光部での受光結果から前記識別子を識別する識別部と、前記識別部での識別結果に応じて所定の設定または動作を変更するかあるいは所定の設定または動作を実行する制御部と、前記帯状体の少なくとも一つに含まれた被印字媒体に印字する印字部と、を備えたことを特徴の一つとする。
【０００５】
また、本発明の実施形態にかかるロールにあっては、前記プリンタで用いられ、前記帯状体が巻回されて構成されて前記識別子が付与されたロールである。
【図面の簡単な説明】
【０００６】
【図１】図１は、本発明の一実施形態にかかるプリンタの内部構成の一例を示す側面図である。
【図２】図２は、本発明の一実施形態にかかるプリンタの制御回路の一例を示すブロック図である。
【図３】図３は、本発明の一実施形態にかかるプリンタの制御部の一例を示すブロック図である。
【図４】図４は、本発明の一実施形態にかかるインクリボンのロールの一例を示す斜視図である。
【図５】図５は、本発明の一実施形態にかかるプリンタのインクリボンのロールを保持した部分の内部構成を示す正面図（一部断面図）であって、（ａ）は一例を示す図、（ｂ）は別の一例を示す図である。
【図６】図６は、本発明の一実施形態にかかる帯状用紙のロールの一例を示す側面図である。
【発明を実施するための形態】
【０００７】
以下、添付図面を参照して、本発明にかかるプリンタの一実施形態について詳細に説明する。
【０００８】
本実施形態にかかるプリンタ１は、帯状体としての帯状用紙２の内表面２ａに貼付された被印字媒体としてのラベル（図示せず）に印字する印字機能を備えている。なお、プリンタ１は、ラベル以外の被印字媒体（例えば台紙を有しない連続紙等）に印字することも可能である。また、プリンタ１は、ラベルに添付されたＲＦＩＤチップ（図示せず）のデータのリードライト機能を備えることもできる。
【０００９】
プリンタ１の本体部１ａは、底壁１ｃや側壁１ｇ（図５参照、図１には図示せず）を含む筐体１ｂと、当該筐体１ｂ内で底壁１ｃと垂直でありかつ側壁と平行な縦壁１ｄと、を有している。そして、この縦壁１ｄに、ロール保持軸４や、搬送ローラ５、プラテンローラ６、インクリボン７の供給軸８、インクリボン７の巻取軸９、印字ヘッドブロック１０、ピンチローラブロック１１等が、当該縦壁１ｄとほぼ垂直な姿勢で取り付けられている。なお、筐体１ｂ内の、図１の視線で縦壁１ｄの背面側には、図２に示す制御回路２０等が収容されている。
【００１０】
ロール保持軸４は、帯状用紙２が巻回されて構成されたロール（用紙ロール）１３を、図１の紙面に垂直な軸回りに回動可能に保持する。ここでは、ロール保持軸４を縦壁１ｄに回動可能に保持する構成とすることができるし、あるいは、ロール保持軸４を縦壁１ｄに固定して帯状用紙２のロール１３をロール保持軸４の回りに回動可能に保持する構成とすることができる。いずれにせよ、本実施形態では、ロール保持軸４やロール１３は、モータ等によっては駆動されず、搬送方向下流側（図１の左方向）の搬送ローラ５やプラテンローラ６等の回転によって帯状用紙２のロール１３が回動（従動）することにより、ロール１３から帯状用紙２が引き出される。本実施形態では、ロール保持軸４がロール保持部に相当する。
【００１１】
搬送ローラ５およびプラテンローラ６は、モータ１４等（図２参照）によって回転駆動される。搬送ローラ５は、印字部１５やプラテンローラ６の上流側に配置されている。また、ピンチローラブロック１１は、搬送ローラ５と平行な姿勢で当該搬送ローラ５の上方に隣接して配置されるピンチローラ（図示せず）を有している。ピンチローラは、適宜な押圧力で搬送ローラ５に向けて付勢されている。そして、搬送ローラ５とピンチローラとで帯状用紙２が挟持され、搬送ローラ５の回転によって、帯状用紙２が搬送される。本実施形態では、これら、搬送ローラ５や、プラテンローラ６、モータ１４、モータコントローラ２０ｊ、ピンチローラブロック１１等が、搬送機構を構成している。
【００１２】
インクリボン７の供給軸８には、インクリボン７が巻回されて構成されたロール（リボンロール）１６がセットされ、モータ１４等によって駆動される巻取軸９の回転によって、インクリボン７が巻取軸９に巻き取られてロール１６から引き出される。インクリボン７は、帯状用紙２とともに、印字ヘッドブロック１０に含まれるサーマルヘッド１０ａとプラテンローラ６との間に挟持され、サーマルヘッド１０ａの加熱によってインクリボン７のインクを溶融あるいは昇華させることにより、帯状用紙２の表面としての内表面２ａに配置されたラベル（図示せず）に、所定のパターン（文字、数字、バーコード、図形等）を転写する。すなわち、本実施形態では、インクリボン７や、供給軸８、巻取軸９、印字ヘッドブロック１０、サーマルヘッド１０ａ、モータ１４、モータコントローラ２０ｊ等によって、印字機構が構成され、サーマルヘッド１０ａとプラテンローラ６とによって印字部１５が構成されている。本実施形態では、インクリボン７がロール１６の帯状体に相当する。また、供給軸８がロール保持部に相当する。
【００１３】
また、本実施形態では、帯状用紙２のロール１３およびインクリボン７のロール１６に、不可視性の識別子１７（図６等参照）が付与されている。不可視性の識別子１７は、ロール１３，１６の表面に、例えば、赤外線吸収性や赤外線反射性を有した目視では見えないインク（所謂ステルスインク）や、紫外線の照射によって可視化する蛍光性を有した目視では見えないインク（所謂蛍光インク）等を用いて印刷することで、付与することができる。識別子１７は、バーコードや、文字、記号、模様、画像等（図示せず）として付与されうる。
【００１４】
プリンタ１は、識別子１７を読み取るための光学ユニット３（図５参照）を備えている。光学ユニット３は、ロール１３，１６に付与された識別子１７（図６参照）を読み取る。光学ユニット３は、それぞれ、照射部３ａおよび受光部３ｂ（図２参照）を有している。照射部３ａは、各識別子１７の識別方式に応じた赤外光あるいは紫外光等をロール１３，１６へ照射する。受光部３ｂは、照射部３ａの光の照射によってロール１３，１６の識別子１７を含む領域から到来した光を受光する。例えば、識別子１７が、赤外線吸収性あるいは赤外線反射性を有している場合、受光部３ｂは、識別子１７およびその周囲のロール１３，１６で反射した赤外光を含む光を受光可能な素子として構成される。また、例えば、識別子１７が、蛍光性を有している場合、受光部３ｂは、紫外線あるいは赤外線を受けて発光した識別子１７の光（例えば可視光あるいは赤外光）を受光可能な素子として構成される。受光部３ｂは、２次元の画像を撮像するＣＣＤ（Charge Coupled Device）やＣＭＯＳ（Complementary Metal Oxide Semiconductor）等のイメージセンサとして構成することができるし、より簡素な構成の受光素子として構成することもできる。なお、光学ユニット３によって識別子１７を読み取りできる範囲で、識別子１７上に別のインクを塗布したり、識別子１７上をシート等で覆ったりして、不可視性を得るあるいは高めることが可能である。また、照射部３ａあるいは受光部３ｂには、適宜フィルタ等を設けてもよい。このように、ロール１３，１６に不可視性の識別子１７を付与するとともに、プリンタ１には不可視性の識別子１７の識別機能を与えることで、帯状用紙２やインクリボン７のロール１３，１６の偽造を抑制することができる。
【００１５】
また、図２に示すように、プリンタ１の制御回路２０は、ＣＰＵ（Central Processing Unit）２０ａや、ＲＯＭ（Read Only Memory）２０ｂ、ＲＡＭ（Random Access Memory）２０ｃ、ＮＶＲＡＭ（Non-Volatile Memory）２０ｄ、通信インタフェース（Ｉ／Ｆ）２０ｅ、照射部コントローラ２０ｆ、受光部コントローラ２０ｇ、出力部コントローラ２０ｈ、入力部コントローラ２０ｉ、モータコントローラ２０ｊ、印字部コントローラ２０ｋ等を有し、これらが、アドレスバスやデータバス等のバス２０ｍを介して接続されている。
【００１６】
ＣＰＵ２０ａは、ＲＯＭ２０ｂ等に記憶されたコンピュータ読み取り可能な各種プログラムを実行することにより、プリンタ１の各部を制御する。ＲＯＭ２０ｂは、例えば、ＣＰＵ２０ａが実行する各種データや各種プログラム（ＢＩＯＳ（Basic Input Output System）や、アプリケーションプログラム、デバイスドライバプログラム等）等を記憶する。ＲＡＭ２０ｃは、ＣＰＵ２０ａが各種プログラムを実行する際に一時的にデータやプログラムを記憶する。また、ＮＶＲＡＭ２０ｄは、例えば、ＯＳ（Operating System）や、アプリケーションプログラム、デバイスドライバプログラム等の他、電源がＯＦＦされても保持しておきたい各種のデータ（例えば、識別部２１ｅにおける識別で用いられる参照データ等）を記憶する。
【００１７】
また、通信インタフェース（Ｉ／Ｆ）２０ｅは、電気通信回線等を通じて接続される他の装置とのデータ通信を制御する。
【００１８】
照射部コントローラ２０ｆは、ＣＰＵ２０ａからの指示に基づいて照射部３ａを制御する。また、受光部コントローラ２０ｇは、ＣＰＵ２０ａからの指示に基づいて受光部３ｂを制御するとともに、受光部３ｂで受光された光が光電変換されたデータをＣＰＵ２０ａへ送る。
【００１９】
出力部コントローラ２０ｈは、ＣＰＵ２０ａからの指示に基づいて画像や音声等の出力部（例えば、ディスプレイや、発光部、スピーカ、ブザー等）１８を制御する。また、入力部コントローラ２０ｉは、ユーザ等の手動操作や音声等の入力部（例えば、押しボタンや、タッチパネル、キーボード、マイク、つまみ、ディップスイッチ等）１９を制御する。
【００２０】
モータコントローラ２０ｊは、ＣＰＵ２０ａからの指示に基づいて例えばステップモータ等として構成されるモータ１４を制御して回転させる。また、モータコントローラ２０ｊは、モータ１４から受け取った動作状態を示すデータをＣＰＵ２０ａに送ることができる。
【００２１】
印字部コントローラ２０ｋは、ＣＰＵ２０ａからの指示に基づいて印字部１５のサーマルヘッド１０ａ等を制御する。
【００２２】
そして、図３に示すように、制御部としてのＣＰＵ２０ａは、プログラムにしたがって、印字制御部２１ａ、モード切替制御部２１ｂ、読取制御部２１ｃ、画像処理部２１ｄ、識別部２１ｅ、異常制御部２１ｆ、およびリードライト処理部２１ｇとして動作する。プログラムには、少なくとも、印字制御部２１ａ、モード切替制御部２１ｂ、読取制御部２１ｃ、画像処理部２１ｄ、識別部２１ｅ、異常制御部２１ｆ、およびリードライト処理部２１ｇに対応するモジュールが含まれる。
【００２３】
印字制御部２１ａは、モータコントローラ２０ｊや印字部コントローラ２０ｋを介してモータ１４および印字部１５を制御して、帯状用紙２に文字や画像等の所定の情報を印字させる。
【００２４】
モード切替制御部２１ｂは、操作ボタン等の入力部１９でのユーザの入力（モード選択操作）により、プリンタ１の動作を切り替える。具体的には、例えば、プリンタ１に、識別子１７を正しく識別できた場合にのみ印字が実行されるセキュアモードや、識別子１７を正しく識別できなかった場合にＬＥＤ（Light Emitting Diode）等の出力部１８から異常出力が実行されるアラームモード、識別子１７の識別を行わずにあるいは識別子１７の識別結果によらずに印字が実行されるノーマルモード等が設定されている場合に、モード切替制御部２１ｂは、入力部１９でのユーザの入力結果に応じて、印字制御部２１ａや読取制御部２１ｃ等の処理を変更する。
【００２５】
読取制御部２１ｃは、照射部コントローラ２０ｆや受光部コントローラ２０ｇを介して照射部３ａおよび受光部３ｂを制御して、受光部３ｂから受光結果を示すデータを受け取る。
【００２６】
また、受光部３ｂがイメージセンサである場合、画像処理部２１ｄは、読取制御部２１ｃから受け取った受光部３ｂにおける受光結果に対して、所定の画像処理（例えば、平滑化処理、２値化処理、フィルタリング、シェーディング補正等）を実行する。
【００２７】
識別部２１ｅは、画像処理部２１ｄで画像処理されたデータと、ＮＶＲＡＭ２０ｄ等の不揮発性の記憶部に記憶された参照データとを比較し、受光部３ｂでの受光結果に基づく画像処理されたデータに、正しい識別子１７が含まれているか否かを判別する。この判別により、ロール１３，１６が、正しい識別子１７が付与された正規品であるか否かを識別することができる。
【００２８】
異常制御部２１ｆは、識別部２１ｅでの識別結果に応じて所定の動作を実行する。例えば、上述したセキュアモードが選択されていた場合には、異常制御部２１ｆは、印字制御部２１ａを制御して印字処理を行わせない。さらに、異常制御部２１ｆは、出力部コントローラ２０ｈを介して出力部１８を制御し、当該出力部１８に、異常を示す出力を行わせる。例えば、出力部１８がディスプレイである場合には、当該出力部１８で、ロール１３またはロール１６が正規品でないため印字処理ができないことを示す旨が表示される。
【００２９】
リードライト処理部２１ｇは、ＮＶＲＡＭ２０ｄ等の記憶部に対する種々の情報の読み出しおよび書き込みを実行する。本実施形態では、リードライト処理部２１ｇが、読出処理部および書込処理部に相当する。
【００３０】
また、上述したアラームモードが選択されていた場合には、異常制御部２１ｆは、出力部コントローラ２０ｈを介して出力部１８を制御し、当該出力部１８に、異常を示す出力を行わせる。例えば、出力部１８がディスプレイである場合には、当該出力部１８で、ロール１３またはロール１６が正規品でないことや、正規品でないため品質を保証できないこと等を示す旨が表示される。
【００３１】
また、本実施形態では、識別部２１ｅでの識別結果がわかる情報（識別結果情報）が、不揮発性の記憶部としてのＮＶＲＡＭ２０ｄに記憶される。この情報は、好適には、少なくとも次にロール１３，１６が交換されるまで保持される。例えば、ロール１３，１６が装着される部分に、交換センサとして、ロール１３，１６やそのアタッチメントによって押圧される押圧スイッチ等（図示せず）が設けられることで、制御部としてのＣＰＵ２０ａは、当該交換センサによるロール１３，１６の交換の検出（例えば押圧スイッチＯＮ→ＯＦＦ→ＯＮ）をトリガとして、識別子１７の識別のための一連の動作（照射や、受光、画像処理、識別、異常処理、識別結果情報の記憶（更新）等）を実行することができる。また、ＣＰＵ２０ａは、ユーザによる入力部１９の操作によってロール１３，１６の交換を認識して、上記一連の動作を実行してもよい。
【００３２】
また、制御部としてのＣＰＵ２０ａは、識別子１７からロール１３，１６の帯状体の長さを得ることができる。ＣＰＵ２０ａは、ロール１３，１６の帯状体の長さを示す情報を、例えば、識別子１７に含まれる情報から得ることができるし、あるいは識別子１７に含まれる情報に対応したＮＶＲＡＭ２０ｄ等に記憶された情報から得ることができる。そして、ＣＰＵ２０ａは、モータ１４の回転回数の積算値等からロール１３，１６の使用済みの長さを検出して、ロール１３，１６の帯状体の長さと比較することで、ロール１３，１６の残量を得ることができる。ＣＰＵ２０ａは、少なくとも残量が０（ゼロ）となるまでは、不揮発性の記憶部としてのＮＶＲＡＭ２０ｄに、識別部２１ｅでの識別結果がわかる情報（識別結果情報）を、変更することなく記憶しておくことができる。また、ＣＰＵ２０ａは、残量が０（ゼロ）となった時点で印字を停止し、それ以降は新たな識別子１７を読み取るまでは、印字を実行しないことができる。例えば、帯状体の長さを示す情報としての印字動作可能リボン長情報が１００ｍ（メートル）であった場合、ＣＰＵ２０ａは、インクリボン７が１００ｍ使用されるまでは印字を実行するが、それ以降は印字を実行しない。さらに、ＣＰＵ２０ａは、帯状体の長さを示す情報が得られなかった場合には、印字を実行しないことができる。
【００３３】
以上のように、本実施形態にかかるプリンタ１では、インクリボン７または帯状用紙２のロール１６，１３に付与された不可視性の識別子１７を、光学ユニット３が読み取り、識別部２１ｅが、当該識別子１７が正しいものであるか否かを判別し、制御部としてのＣＰＵ２０ａが、プリンタ１の設定または動作を変更するか（例えば動作モードの切り替え等）あるいはプリンタ１の設定または動作を実行する（例えば異常出力等）。よって、本実施形態によれば、ロール１６，１３の偽造を抑制することができるとともに、ロール１６，１３の非正規品が用いられることにより、プリンタ１に不都合が生じるのを抑制することができる。
【００３４】
また、図４に示すように、本実施形態では、インクリボン７のロール１６は軸としての紙管１６ｂに巻回され、引出開始端１６ａはもう一つの軸としての紙管１６ｃに貼着等されて固定されている。インクリボン７の印字供用領域Ａｐ（リボン部分）より引出開始端１６ａ側は、非印字供用領域Ａｎ（リード部分）となっている。そして、本実施形態では、紙管１６ｂ，１６ｃのうち少なくともいずれか一方の軸端１６ｂｔ，１６ｃｔに不可視性の識別子１７（図４では図示せず）が付与されている。よって、本実施形態では、軸端１６ｂｔ，１６ｃｔを有効に活用して、有効な印字供用領域Ａｐが狭くなる等の不都合を生じることなく、識別子１７をより効率良くかつより容易に付与することができる。なお、識別子１７は図６と同様に構成することができる。
【００３５】
そして、図５に示すように、光学ユニット３は、ロール保持部としての供給軸８に保持されたインクリボン７のロール１６の軸端１６ｂｔ，１６ｃｔ（図５では軸端１６ｂｔのみ図示）に対向する状態で配置される。図５の（ａ）の例では、光学ユニット３は、筐体１ｂの側壁１ｇの内側に設けられ、図５の（ｂ）の例では、光学ユニット３は、筐体１ｂ内の縦壁１ｄに、ブラケット１ｅを介して設けられている。縦壁１ｄには、軸端１６ｂｔを露出させる貫通孔１ｆが形成され、光学ユニット３は貫通孔１ｆを介して軸端１６ｂｔに光を照射し、かつ貫通孔１ｆを介して軸端１６ｂｔからの光を受光する。軸端１６ｂｔ，１６ｃｔの位置は、ロール１６からのインクリボン７の引出量によらず一定であるため、識別子１７（図示せず）を軸端１６ｂｔ，１６ｃｔに付与することで、光学ユニット３によってより容易に読み取りやすくなる。また、ロール１７の軸方向端部としての軸端１６ｂｔ，１６ｃｔに識別子１７が付与されているため、プリンタ１のＣＰＵ２０ａは、印字処理を実行する際、事前に識別子１７の読み取りおよび識別を実行し、正しい識別子１７が識別できた場合、すなわち、ロール１６に正しい識別子１７が付与されている場合に、印字処理を実行することができる。
【００３６】
一方、図６に示すように、本実施形態では、帯状用紙２のロール１３は軸としての紙管１３ａに巻回されている。そして、本実施形態では、紙管１３ａの軸端１３ａｔに不可視性の識別子１７が付与されている。よって、本実施形態では、軸端１３ａｔを有効に活用して、有効な印字供用領域が狭くなる等の不都合を生じることなく、識別子１７をより効率良くかつより容易に付与することができる。なお、識別子１７を読み取る光学ユニット３を含む構成は、図５と同様とすることができる。
【００３７】
軸端１３ａｔに付与された識別子１７Ａは、例えば、バーコードや、文字列、数字列、記号、図柄、模様等として構成することができる。帯状用紙２のロール１３の軸端１３ａｔに識別子１７Ａを付与することにより、インクリボン７のロール１６の軸端１６ｂｔ，１６ｃｔに識別子１７を付与した場合と同様の効果を得ることができる。さらに、図６に示すように、ロール１３の巻回部分１３ｂの軸方向の端面１３ｂｔに、識別子１７Ｂを付与することができる。この場合、軸端１３ａｔに付与した場合に比べて、より大きな識別子１７Ｂを付与することができる。よって、識別子１７Ｂに保持させる情報量を増大しやすくなる。なお、識別子１７Ｂは、軸１３ａ回りに帯状体としての帯状用紙２を巻回してロール１３を構成した後に、巻回部分１３ｂの端面１３ｂｔに付与するのが好適である。
【００３８】
そして、本実施形態では、リードライト処理部２１ｇが、識別部２１ｅでの識別結果がわかる情報（識別結果情報）を、不揮発性の記憶部としてのＮＶＲＡＭ２０ｄに記憶する。すなわち、識別結果が保持されるため、識別部２１ｅが識別を何度も実行する必要がなくなる。
【００３９】
なお、制御部としてのＣＰＵ２０ａは、帯状体としてのインクリボン７または帯状用紙２をフィードさせてロール１６，１３を回動させながら光学ユニット３に識別子１７を読み取らせることもできる。
【００４０】
また、本実施形態では、リードライト処理部２１ｇが、識別子１７に対応する情報を不揮発性の記憶部としてのＮＶＲＡＭ２０ｄから読み出し、制御部としてのＣＰＵ２０ａが、当該読み出された情報に基づいて、所定の動作を変更するかあるいは実行する。これにより、識別子１７に含める情報量を減らすことができ、識別子１７の構成をより簡素化することができる。
【００４１】
また、図６に示すように、本実施形態では、識別子１７は、バーコードとして付与することができる。この場合、ＲＯＭ２０ｂやＮＶＲＡＭ２０ｄ等の記憶部に、バーコードに対応付けてインクリボン７や帯状用紙２の制御情報（例えば印字濃度や、印字パルス幅、モータ１４の回転速度等）を記憶しておくことで、プリンタ１のＣＰＵ２０ａは、装着されたインクリボン７や帯状用紙２のロール１６，１３に対応する制御情報を得ることができる。よって、印字制御部２１ａは、プリンタ１における印字濃度や、印字パルス幅、モータ１４の回転速度等を、装着されているインクリボン７や帯状用紙２により適した状態に制御することができる。また、記憶部にバーコードに対応付けてインクリボン７や帯状用紙２の属性情報（販売者名、製造者名、型番、品番、製品コード、スペック（幅、長さ、厚さ等）、製造場所、製造日等）を記憶しておくことで、プリンタ１のＣＰＵ２０ａは、装着されたインクリボン７や帯状用紙２に対応する属性情報を得ることができる。また、識別子１７を、図６に示すような１次元バーコードとして構成した場合、受光部３ｂの構成を簡素化しやすいという利点もある。なお、図６では、便宜上、識別子１７のバーコードを図示しているが、実際には不可視性であり、可視光下で識別子１７を視認することはできない。
【００４２】
また、本実施形態では、受光部３ｂをイメージセンサとして構成した場合、識別子１７により多くの情報を含ませることができる。例えば、識別子１７を、２次元バーコード（図示せず）として構成したり、文字、記号、模様、画像等を含むものとして構成したりすることができる。この場合、プリンタ１のＣＰＵ２０ａは、装着されたインクリボン７や帯状用紙２に対応する制御情報や属性情報を、識別子１７から得ることができる。よって、記憶部の記憶容量をより小さく設定することも可能となる。なお、この場合、ＣＰＵ２０ａは、文字や記号等の画像データから文字や記号等を認識する機能（ＯＣＲ：Optical Character Recognition）を有することができる。
【００４３】
以上、本発明の好適な実施形態について説明したが、本発明は上記実施形態には限定されず、種々の変形が可能である。例えば、ロールまたは帯状体に識別子を付与する位置や、プリンタ内で光学ユニットを設ける位置等は、上記実施形態には限定されず、種々に変更することができる。また、各構成要素（印字部や、本体部、識別子、ロール保持部、ロール、帯状体、照射部、受光部、識別部、光学ユニット、印字供用領域、非印字供用領域、印字供用面、非印字供用面、バーコード、イメージセンサ等）のスペック（方式や、構造、形状、大きさ、長さ、深さ、厚さ、断面積、重量、数、材質、配置、位置、光の波長等）は、適宜に変更して実施することができる。また、不揮発性の記憶部は、ＮＶＲＡＭには限定されない。
【００４４】
上記実施形態によれば、インクリボンや連続紙のロールの偽造品の使用を抑制することが可能なプリンタおよびロールを得ることができる。
【符号の説明】
【００４５】
１  プリンタ
２  帯状用紙（帯状体）
３ａ  照射部
３ｂ  受光部
４  ロール保持軸（ロール保持部）
７  インクリボン（帯状体）
８  供給軸（ロール保持部）
１３  ロール
１３ａｔ  軸端
１３ｂ  巻回部分
１３ｂｔ  端面（軸方向端面）
１５  印字部
１６  ロール
１６ｂｔ  軸端
１７  （不可視性の）識別子
２０ａ  ＣＰＵ（制御部）
２０ｄ  ＮＶＲＡＭ（不揮発性の記憶部）
２１ｅ  識別部
２１ｇ  リードライト処理部（読出処理部、書込処理部）
【先行技術文献】
【特許文献】
【００４６】
【特許文献１】特開２００９−０９０５００
【図１】
2012020490.tif 000003
【図２】
2012020490.tif 000004
【図３】
2012020490.tif 000005
【図４】
2012020490.tif 000006
【図５】
2012020490.tif 000007
【図６】
2012020490.tif 000008